(57)【要約】  非引火性エアロゾル洗浄組成物であって、トランス１，２−ジクロロエチレンと、１，１，１，２，２，３，４，５，５，５−デカフルオロペンタンと、１，１，１，３，３−ペンタフルオロプロパンと、ＨＦＣ−１３４ａと、二酸化炭素とを含む、非引火性エアロゾル洗浄組成物。非引火性エアロゾル洗浄組成物であって、１，１，１，３，３−ペンタフルオロプロパン及び少なくとも１つの他のヒドロフルオロカーボン溶剤又はトランス１，２−ジクロロエチレン溶剤を含む溶剤のブレンドと、ＨＦＣ−１３４ａ及び二酸化炭素を含む噴射剤のブレンドとを含み、カリバチ及びスズメバチ用の高出力エアロゾル型スプレー缶内に入れることで、ユーザーから約１０フィート離れた位置にある目的物を洗浄するように構成されている、非引火性エアロゾル洗浄組成物。【選択図】なし【特許請求の範囲】
【請求項１】
非引火性エアロゾル洗浄組成物であって、
トランス１，２−ジクロロエチレンと、
１，１，１，２，２，３，４，５，５，５−デカフルオロペンタンと、
１，１，１，３，３−ペンタフルオロプロパンと、
１，１，１，２−テトラフルオロエタン（ＨＦＣ−１３４ａ）及び二酸化炭素を含む噴射剤のブレンドと、
を含む、非引火性エアロゾル洗浄組成物。
【請求項２】
前記トランス１，２−ジクロロエチレンは、前記洗浄組成物の約５５重量％〜約７０重量％（ｗ／ｗ）の濃度で存在する、請求項１に記載の非引火性エアロゾル洗浄組成物。
【請求項３】
前記１，１，１，２，２，３，４，５，５，５−デカフルオロペンタンは、約１０％ｗ／ｗ〜約２０％ｗ／ｗの濃度で存在する、請求項１に記載の非引火性エアロゾル洗浄組成物。
【請求項４】
前記１，１，１，３，３−ペンタフルオロプロパンは、約５％ｗ／ｗ〜約１５％ｗ／ｗの濃度で存在する、請求項１に記載の非引火性エアロゾル洗浄組成物。
【請求項５】
前記ＨＦＣ−１３４ａは、約５％ｗ／ｗ〜約１５％ｗ／ｗの濃度で存在する、請求項１に記載の非引火性エアロゾル洗浄組成物。
【請求項６】
前記二酸化炭素は、約２％ｗ／ｗ〜約７％ｗ／ｗの濃度で存在する、請求項１に記載の非引火性エアロゾル洗浄組成物。
【請求項７】
前記トランス１，２−ジクロロエチレン、１，１，１，２，２，３，４，５，５，５−デカフルオロペンタン、１，１，１，３，３−ペンタフルオロプロパン、ＨＦＣ−１３４ａ、及び二酸化炭素の濃度の合計は、前記非引火性エアロゾル洗浄組成物の重量の約１００％ｗ／ｗである、請求項１に記載の非引火性エアロゾル洗浄組成物。
【請求項８】
約５５％ｗ／ｗ〜約７０％ｗ／ｗのトランス１，２−ジクロロエチレンと、約１０％ｗ／ｗ〜約２０％ｗ／ｗの１，１，１，２，２，３，４，５，５，５−デカフルオロペンタンと、約５％ｗ／ｗ〜約１５％ｗ／ｗの１，１，１，３，３−ペンタフルオロプロパンと、約５％ｗ／ｗ〜約１５％ｗ／ｗのＨＦＣ−１３４ａと、約２％ｗ／ｗ〜約７％ｗ／ｗの二酸化炭素とからなる、請求項１に記載の非引火性エアロゾル洗浄組成物。
【請求項９】
カリバチ及びスズメバチ用の高出力エアロゾル型スプレー缶内に入れることで、ユーザーから約１０フィート離れた位置にある目的物を洗浄するように構成されている、請求項１に記載の非引火性エアロゾル洗浄組成物。
【請求項１０】
非引火性エアロゾル洗浄組成物であって、
１，１，１，３，３−ペンタフルオロプロパン及び少なくとも１つの他のヒドロフルオロカーボン溶剤又はトランス１，２−ジクロロエチレン溶剤を含む溶剤のブレンドと、
ＨＦＣ−１３４ａ及び二酸化炭素を含む噴射剤のブレンドと、
を含み、カリバチ及びスズメバチ用の高出力エアロゾル型スプレー缶内に入れることで、ユーザーから約１０フィート離れた位置にある目的物を洗浄するように構成されている、非引火性エアロゾル洗浄組成物。
【請求項１１】
前記溶剤のブレンドは、トランス１，２−ジクロロエチレン、１，１，１，２，２，３，４，５，５，５−デカフルオロペンタン、及び１，１，１，３，３−ペンタフルオロプロパンを含む、請求項１０に記載の非引火性エアロゾル洗浄組成物。
【請求項１２】
約５５％ｗ／ｗ〜約７０％ｗ／ｗの濃度のトランス１，２−ジクロロエチレンと、約１０％ｗ／ｗ〜約２０％ｗ／ｗの濃度の１，１，１，２，２，３，４，５，５，５−デカフルオロペンタンと、約５％ｗ／ｗ〜約１５％ｗ／ｗの濃度の１，１，１，３，３−ペンタフルオロプロパンと、約５％ｗ／ｗ〜約１５％ｗ／ｗの濃度のＨＦＣ−１３４ａと、約２ｗ／ｗ％〜約７％ｗ／ｗの濃度の二酸化炭素とを含む、請求項１０に記載の非引火性エアロゾル洗浄組成物。
【請求項１３】
前記トランス１，２−ジクロロエチレン、１，１，１，２，２，３，４，５，５，５−デカフルオロペンタン、１，１，１，３，３−ペンタフルオロプロパン、ＨＦＣ−１３４ａ、及び二酸化炭素の濃度の合計は、前記非引火性エアロゾル洗浄組成物の重量の約１００％ｗ／ｗである、請求項１２に記載の非引火性エアロゾル洗浄組成物。
【請求項１４】
３１．４  スプレーエアロゾルについての点火距離試験及び３１．５  ＧＨＳエアロゾル引火性の閉鎖空間点火試験（２００９年）に従って試験した場合に引火点を有しない、請求項１０に記載の非引火性エアロゾル洗浄組成物。
【請求項１５】
Ａｉｒｂｕｓ  ＵＫ  ＡＢＲ  ９−０１４０一般目的用の洗浄溶剤（Amendment Notice Issue 5 [11 Nov 09] to ABR 9-0140 at Issue 6 [Feb 2000]）の４．１．１  外観、４．１．２  臭い、４．１．３  引火点、４．１．４  蒸発時の残渣、及び４．１．７  腐食作用の回避の項における基準に適合するように構成されている、請求項１０に記載の非引火性エアロゾル洗浄組成物。
【請求項１６】
ボーイングＤ６  １７４８７、リビジョンＴのサンドイッチ腐食試験、塗料軟化試験、水素脆化試験、及び応力腐食割れ試験における基準に適合するように構成されている、請求項１０に記載の非引火性エアロゾル洗浄組成物。
【発明の詳細な説明】
【技術分野】
【０００１】
本開示は、洗浄組成物、特に航空機構築物の強力洗浄のためのエアロゾル洗浄組成物に関する。
【背景技術】
【０００２】
航空機構築物、例えばジェットエンジンは、油圧液、圧縮空気機関用潤滑油（pneumatic lubricants）、燃焼副産物、及び他の種類の汚染物に曝されることで、これらが蓄積する。このような蓄積物は、洗浄組成物を用いて洗浄及び／又は脱脂することができる。例えば、カウルを持ち上げてジェットエンジンの表面を洗浄するのに、エアロゾル洗浄組成物を用いることができる。しかしながら、殆どの従来的なエアロゾル洗浄組成物では、ユーザーから最大１０フィート離れていることもあるジェットエンジンのコールドセクションに到達するのに十分な力又は出力が得られない。
【０００３】
さらに、多くの従来のエアロゾルジェット洗浄組成物は、臭化ｎ−プロピル等の毒性溶剤を含有している場合があり、さらに引火性又は可燃性である場合もある。溶剤（複数の場合もある）と噴射剤（複数の場合もある）とを適切に組み合わせることで、エアロゾル組成物の引火性を軽減することができるが、エアロゾル組成物の引火性は、エアロゾル出力圧を上げると増大するのが通例である。そのため、高圧及び高出力エアロゾル組成物にとって引火性を制御することは、より大きな課題になっている。
【発明の概要】
【発明が解決しようとする課題】
【０００４】
したがって、航空機構築物を洗浄するための高圧高出力エアロゾル洗浄組成物の改善が依然として必要とされている。
【課題を解決するための手段】
【０００５】
航空機構築物を洗浄及び脱脂するための高圧高出力の非引火性エアロゾル洗浄組成物が様々な実施の形態により提供される。エアロゾル洗浄組成物は、高出力エアロゾル弁及びノズルを備えたエアロゾル構築物内に入れることで、ユーザーから垂直に約１０フィート上方に位置する目的物に到達し、目的物を洗浄するのに十分な出力圧をもたらすように配合することができる。さらに、エアロゾル洗浄組成物は、ジェットエンジン等の航空機構築物上の油圧液、圧縮空気機関用潤滑油、及び燃焼副産物を効率的に洗浄及び脱脂するために配合することができる。
【０００６】
１つの態様において、非引火性エアロゾル洗浄組成物は、トランス１，２−ジクロロエチレンと、１，１，１，２，２，３，４，５，５，５−デカフルオロペンタンと、１，１，１，３，３−ペンタフルオロプロパンと、１，１，１，２−テトラフルオロエタン（ＨＦＣ−１３４ａ）及び二酸化炭素を含む噴射剤のブレンドとを含むことができる。
【０００７】
幾つかの実施の形態では、前記トランス１，２−ジクロロエチレンは、前記洗浄組成物の約５５重量％〜約７０重量％（ｗ／ｗ）の濃度で存在することができる。前記１，１，１，２，２，３，４，５，５，５−デカフルオロペンタンは、約１０％ｗ／ｗ〜約２０％ｗ／ｗの濃度で存在することができ、前記１，１，１，３，３−ペンタフルオロプロパンは、約５％ｗ／ｗ〜約１５％ｗ／ｗの濃度で存在することができる。さらに、前記ＨＦＣ−１３４ａは、約５％ｗ／ｗ〜約１５％ｗ／ｗの濃度で存在することができ、前記二酸化炭素は、約２％ｗ／ｗ〜約７％ｗ／ｗの濃度で存在することができる。
【０００８】
別の態様において、非引火性エアロゾル洗浄組成物は、１，１，１，３，３−ペンタフルオロプロパン及び少なくとも１つの他のヒドロフルオロカーボン溶剤又はトランス１，２−ジクロロエチレン溶剤を含む溶剤のブレンドと、ＨＦＣ−１３４ａ及び二酸化炭素を含む噴射剤のブレンドとを含むことができる。非引火性エアロゾル洗浄組成物は、カリバチ及びスズメバチ用の高出力エアロゾル型スプレー缶内に入れることで、ユーザーから約１０フィート離れた位置にある目的物を洗浄するように構成することができる。
【０００９】
実施の形態では、前記溶剤のブレンドは、トランス１，２−ジクロロエチレン、１，１，１，２，２，３，４，５，５，５−デカフルオロペンタン、及び１，１，１，３，３−ペンタフルオロプロパンを含むことができる。
【００１０】
例えば、非引火性エアロゾル洗浄組成物は、約５５％ｗ／ｗ〜約７０％ｗ／ｗの濃度のトランス１，２−ジクロロエチレンと、約１０％ｗ／ｗ〜約２０％ｗ／ｗの濃度の１，１，１，２，２，３，４，５，５，５−デカフルオロペンタンと、約５％ｗ／ｗ〜約１５％ｗ／ｗの濃度の１，１，１，３，３−ペンタフルオロプロパンと、約５％ｗ／ｗ〜約１５％ｗ／ｗの濃度のＨＦＣ−１３４ａと、約２ｗ／ｗ％〜約７％ｗ／ｗの濃度の二酸化炭素とを含むことができる。幾つかの実施の形態では、前記トランス１，２−ジクロロエチレン、１，１，１，２，２，３，４，５，５，５−デカフルオロペンタン、１，１，１，３，３−ペンタフルオロプロパン、ＨＦＣ−１３４ａ、及び二酸化炭素の濃度の合計は、前記非引火性エアロゾル洗浄組成物の重量の約１００％ｗ／ｗであり得る。
【００１１】
上述の実施の形態のいずれにおいても、エアロゾル洗浄組成物は、ＵＮ２００９、セクション３１に概説される試験法に従う炎点火距離試験及び閉鎖空間点火試験に従って試験した場合に非引火性と分類することができる。さらに、エアロゾル洗浄組成物は、Ａｉｒｂｕｓ  ＵＫ  ＡＢＲ  ９−０１４０一般目的用の洗浄溶剤（Amendment Notice Issue 5 [11 Nov 09] to ABR 9-0140 at Issue 6 [Feb 2000]）の４．１．１  外観、４．１．２  臭い、４．１．３  引火点、４．１．４  蒸発時の残渣、及び４．１．７  腐食作用の回避の項における基準に適合するように構成することができる。また、非引火性エアロゾル洗浄組成物は、ボーイングＤ６  １７４８７、リビジョンＴのサンドイッチ腐食試験、塗料軟化試験、水素脆化試験、及び応力腐食割れ試験における基準に適合するように構成することができる。
【００１２】
他の態様、目的及び利点は、添付の図面と併せて下記の詳細な説明からより明らかとなるであろう。
【発明を実施するための形態】
【００１３】
本開示は、種々の形態の実施形態に適用可能であるが、現在好ましい実施形態が図面に示されるとともに以下に記載される。ここで、本開示は例示とみなされ、本開示を図示される特定の実施形態に限定することは意図されていないことが理解される。
【００１４】
航空機構築物を洗浄及び脱脂するためのエアロゾル洗浄組成物が様々な実施形態により提供される。エアロゾルクレンジング組成物は、ユーザーが臭化ｎ−プロピル蒸気等の有害な溶剤蒸気に曝されることなく、ジェットエンジンの表面等の航空機構築物上の油圧液、圧縮空気機関用潤滑油、燃焼副産物、及び他の種類の汚染付着物を効率的に溶解及び除去することができる非引火性組成物として配合することができる。
【００１５】
さらに、エアロゾル洗浄組成物は、高圧高出力エアロゾルシステムのために配合することができる。このような実施形態では、エアロゾル洗浄組成物は、少なくとも１つの溶剤及び噴射剤のブレンドを用いて配合し、高出力エアロゾル弁及びノズルを備えたエアロゾル構築物内に入れることで、ユーザーから約１０フィート離れた位置にある目的物に噴霧し、目的物を洗浄するための高圧高出力エアロゾルシステムを提供することができる。本開示の様々な実施形態によるエアロゾル洗浄組成物を含有する高圧高出力エアロゾルシステムは、ユーザーにより使用されることで、ユーザーから垂直に約１０フィート上方に位置し得る、ジェットエンジンのコールドセクション等の航空機構築物に噴霧し、航空機構築物を洗浄することができる。
【００１６】
実施形態によれば、エアロゾル洗浄組成物は、溶剤及び／又は洗浄剤のブレンド、並びに少なくとも１つの噴射剤を用いて配合することができる。好適な溶剤及び洗浄剤としては、ヒドロフルオロカーボン、例えば１，１，１，２，２，３，４，５，５，５−デカフルオロペンタン、１，１，１，３，３−ペンタフルオロプロパン、ヒドロフルオロエーテル、例えばメトキシノナフルオロブタン（ＨＦＥ−７１００）、ヒドロフルオロオレフィン、例えばトランス−１−クロロ−３，３，３−トリフルオロプロペン、及びジクロロエチレン、例えばトランス１，２−ジクロロエチレンが挙げられ得る。好適な噴射剤としては、ヒドロフルオロカーボン（ＨＦＣ）液化ガス、例えば１，１，１，２−テトラフルオロエタン（ＨＦＣ−１３４ａ）、ヒドロフルオロオレフィン（ＨＦＯ）ガス、例えばトランス−１，３，３，３−テトラフルオロプロパ−１−エン（ＨＦＯ１２３４ｚｅ）、及び２，３，３，３−テトラフルオロプロパ−１−エン（ＨＦＯ１２３４ｙｆ)、及び二酸化炭素が挙げられ得る。
【００１７】
エアロゾル洗浄組成物の幾つかの特性、例えば引火性及びエアロゾル構築物から洗浄組成物スプレーを押し出す能力は、各構成成分及びその量を選択することで迅速に変化し得る。そのため、非引火性、高圧、高出力であり、航空機構築物からの油圧液、圧縮空気機関用潤滑油、及び燃焼副産物等の頑固な汚染物を洗浄することができるエアロゾル洗浄組成物を配合するのに、本出願人は多くの時間及び労力を費やした。
【００１８】
実施形態では、エアロゾル洗浄組成物は、高出力エアロゾル構築物から高圧及び高出力にて洗浄組成物を連続して押し出すことで、最大１０フィート離れた位置にある目的物を洗浄するために、噴射剤のブレンドを用いて配合することができる。かかる実施形態では、洗浄組成物は、カリバチ及びスズメバチ噴霧駆除のために設計されたエアロゾルシステム構築物等の高出力弁及びノズルを備えたエアロゾル缶構築物内に入れることができる。
【００１９】
幾つかの実施形態では、エアロゾル洗浄組成物は、少なくとも２つの異なる噴射剤を用いて配合することができる。例えば、エアロゾル組成物は、ヒドロフルオロカーボン（ＨＦＣ）液化ガス及び二酸化炭素を含む二重噴射剤システムを用いて配合することができる。実施形態では、エアロゾル洗浄組成物は、約３．０重量パーセント（％）〜約２０．０重量％（ｗ／ｗ）、好ましくは約４．０％ｗ／ｗ〜約１７．０％ｗ／ｗ、より好ましくは約５．０％ｗ／ｗ〜約１５．０％ｗ／ｗのＨＦＣ−１３４ａと、約１．０％ｗ／ｗ〜約９．０％ｗ／ｗ、好ましくは約２．０％ｗ／ｗ〜約７．０％ｗ／ｗ、より好ましくは約３．０％ｗ／ｗ〜約６％ｗ／ｗの二酸化炭素とを含み得る。
【００２０】
高圧、高出力及び非引火性という要件のために、エアロゾル洗浄組成物に対する噴射剤及び溶剤の選択肢は狭い。例えば、トランス−１，３，３，３−テトラフルオロプロパ−１−エン（ＨＦＯ−１２３４ｚｅ）は、非引火性噴射剤として有効ではなく、メトキシノナフルオロブタン（ＨＦＥ−７１００）だけが、洗浄システムにおいて要求される高圧高出力の非引火性エアロゾル溶剤をもたらすのに辛うじて有効であった。
【００２１】
さらに、エアロゾル洗浄システムの高圧及び高出力要件が、エアロゾル洗浄組成物の引火性を軽減することをより難しくしている。噴射剤及び溶剤の幾つかのブレンドが、要求される噴霧出力圧及び汚染物溶解力をもたらしたが、組成物は引火性となった。幾つかのブレンドが、要求される汚染物溶解力を有する非引火性エアロゾル洗浄組成物をもたらしたが、要求される噴霧出力圧は得られなかった。特定の量での噴射剤と１，１，１，３，３−ペンタフルオロプロパンを含む溶剤との適切な相乗的な組合せを用いて、エアロゾル洗浄組成物を配合することで、要求される高圧高出力エアロゾルシステムをもたらしながら、エアロゾル洗浄組成物の引火性を効果的に低減することができることが発見されたことは驚くべきことであった。
【００２２】
実施形態では、エアロゾル洗浄組成物は、トランス１，２−ジクロロエチレンと、１，１，１，２，２，３，４，５，５，５−デカフルオロペンタンと、１，１，１，３，３−ペンタフルオロプロパンとのブレンドを用いて配合することができる。油圧液、燃焼副産物、及び他の汚染物の溶解力を高めるような量のトランス１，２−ジクロロエチレン及び１，１，１，２，２，３，４，５，５，５−デカフルオロペンタンを配合することができる。エアロゾル洗浄組成物は、約５０％ｗ／ｗ〜約７５％ｗ／ｗ、好ましくは約５５％ｗ／ｗ〜約７０％ｗ／ｗ、より好ましくは約６０％ｗ／ｗ〜約６８％ｗ／ｗのトランス１，２−ジクロロエチレンと、約５％ｗ／ｗ〜約２５％ｗ／ｗ、好ましくは約１０％ｗ／ｗ〜約２０％ｗ／ｗ、より好ましくは約１２％ｗ／ｗ〜約１８％ｗ／ｗの１，１，１，２，２，３，４，５，５，５−デカフルオロペンタンと、約３％ｗ／ｗ〜約２０％ｗ／ｗ、好ましくは約５％ｗ／ｗ〜約１５％ｗ／ｗ、より好ましくは約７％ｗ／ｗ〜約１３％ｗ／ｗの１，１，１，３，３−ペンタフルオロプロパンとを用いて配合することができる。
【００２３】
実施形態では、エアロゾル洗浄組成物は、約５５％ｗ／ｗ〜約７０％ｗ／ｗのトランス１，２−ジクロロエチレンと、約１０％ｗ／ｗ〜約２０％ｗ／ｗの１，１，１，２，２，３，４，５，５，５−デカフルオロペンタンと、約５％ｗ／ｗ〜約１５％ｗ／ｗの１，１，１，３，３−ペンタフルオロプロパンと、約５％ｗ／ｗ〜約１５％ｗ／ｗのＨＦＣ  １３４ａと、約２％ｗ／ｗ〜約７％ｗ／ｗの二酸化炭素とを含み得る。幾つかの実施形態では、エアロゾル洗浄組成物は、トランス１，２−ジクロロエチレン、１，１，１，２，２，３，４，５，５，５−デカフルオロペンタン、１，１，１，３，３−ペンタフルオロプロパン、ＨＦＣ  １３４ａ、及び二酸化炭素の重量パーセントが、合計してエアロゾル洗浄組成物の約１００重量％となるように配合することができる。
【００２４】
約５５％ｗ／ｗ〜約７０％ｗ／ｗのトランス１，２−ジクロロエチレンと、約１０％ｗ／ｗ〜約２０％ｗ／ｗの１，１，１，２，２，３，４，５，５，５−デカフルオロペンタンと、約５％ｗ／ｗ〜約１５％ｗ／ｗの１，１，１，３，３−ペンタフルオロプロパンと、約５％ｗ／ｗ〜約１５％ｗ／ｗのＨＦＣ  １３４ａと、約２％ｗ／ｗ〜約７％ｗ／ｗの二酸化炭素とを含むエアロゾル洗浄組成物の試料を調製し、それらを試験した。これらの試料組成物は、油圧液及び潤滑液を効率的に取り除き、素早く乾燥し、残渣は残らなかった。試料組成物の溶剤相を世界調和システム（ＧＨＳ）の引火性（及び可燃性）液体基準にて評価したところ、非引火性に分類された。さらに、試料組成物は、高密度ポリエチレン（ＨＤＰＥ）、低密度ポリエチレン（ＬＤＰＥ）、ナイロン６、ナイロン６／６、Ｐｈｅｎｏｌｉｃ  ＣＥ、ポリプロピレン、ポリオキシメチレン（ＰＯＭ）、ポリ塩化ビニル（ＰＶＣ）、及びポリテトラフルオロエチレン、例えばテフロンと混和性であった。
【００２５】
試料組成物を、Ａｉｒｂｕｓ  ＵＫ  ＡＢＲ  ９−０１４０一般目的用の洗浄溶剤（Amendment Notice Issue 5 [11 Nov 09] to ABR 9-0140 at Issue 6 [Feb 2000]）に従って評価し、４．１．１〜４．１．４、及び４．１．７の項に適合することが確認された。
【００２６】
４．１．１  外観：洗浄溶剤は、沈降物及び懸濁固体を含まない、単一溶剤又は完全に混和した溶剤混合物からなる単一相の液体である。結果が適合している。
【００２７】
４．１．２  臭い：洗浄溶剤は、適用中又は適用後のいずれにおいても不快な臭いが生じない。結果が適合している。
【００２８】
４．１．３  引火点：ＡＳＴＭ  Ｄ９３：３３℃（９１°Ｆ）で引火点は観察されない。結果が適合している。
【００２９】
４．１．４  蒸発時の残渣：蒸発時の残渣は、水浴の５０ｍｌの溶剤を蒸発乾固させ、一定の重量になるまでオーブンにて１１０±２℃に加熱した後に残る重量パーセントとして表す。残渣の重量は、有効なデシケーター内にて室温に冷却した直後に確認する。蒸発時の残渣：液体５０ｍｌ当たり５ｍｇ未満。結果が適合している。
【００３０】
４．１．７  腐食作用の回避：以下の未使用の金属パネル：各々記載されるように（正：as described）面及び縁に前処理又はメッキした７５ｍｍ×２５ｍｍ×０．９１ｍｍを、ＡＢＰ−１２９４に記載される方法により脱脂し、１００±２℃で２時間乾燥させ、冷却して０．０００１ｇまで秤量する。次いで、これらのパネルを別々に、栓をした（stoppered）容器内の洗浄溶剤中に室温で１６８時間、完全に浸漬させる。浸漬期間が終わったら、洗浄溶剤からパネルを取り出し、冷水を流しながら十分にリンスし、表面を脱脂綿で軽く拭く。パネルを蒸留水でリンスした後、等量のメタノール変性アルコール及びアセトンの混合物でリンスし、１００℃〜１０５℃で２時間乾燥させ、冷却して０．０００１ｇまで秤量する。秤量前にパネルから任意の腐食物を取り除くことはしない。パネルは最終的に目視検査する。金属パネルは、１ｍｇを超える重量の増大がなく、かつ５ｍｇを超える重量の減少がない。金属パネルは、縁又は表面の孔食、付着物の形成、又は他の腐食徴候を示さない。
【００３１】
【表１】
2020519710.tif 000002
【００３２】
目視観察：孔食、付着物又は他の腐食徴候なし。結果が適合している。
【００３３】
さらに、試料組成物を、ボーイングＤ６  １７４８７、リビジョンＴ、溶剤クリーナー；一般洗浄に従って評価した。
【００３４】
サンドイッチ腐食試験：
【００３５】
【表２】
2020519710.tif 000003
【００３６】
結果が適合している。
【００３７】
塗料軟化試験：
ペイントシステム１：２４時間の曝露後乾燥時間後の鉛筆硬度変化０。退色又は着色なし。
ペイントシステム２：２４時間の曝露後乾燥時間後の鉛筆硬度変化０。退色又は着色なし。
結果が適合している。
【００３８】
水素脆化試験：
検体：ＭＩＬ−ＳＴＤ−８７０に従ってカドミウムをメッキしたタイプ１ｃ（４５％負荷量、１５０時間、その期間、切欠を浸漬させた、室温）
＃１：１５０時間以内に生じる破壊なし
＃２：１５０時間以内に生じる破壊なし
＃３：１５０時間以内に生じる破壊なし
＃４：１５０時間以内に生じる破壊なし
結果が適合している。
【００３９】
応力腐食割れ：試験には方法Ａを使用
製品：ＡＭＳ  ４９１１：＃１−明らかな割れなし
＃２−明らかな割れなし
＃３−明らかな割れなし
ＡＭＳ  ４９１６：＃１−明らかな割れなし
＃２−明らかな割れなし
＃３−明らかな割れなし
結果が適合している。
【００４０】
試料組成物を、ＭＩＬ−ＰＲＦ−２９６０８Ｃ、２０１６年１１月２日、洗浄及び洗浄潤滑化合物、電気接触、４．５．７  洗浄有効性に従って洗浄性能について評価した。
汚染除去（％有効性／汚染除去）
Lubrizolの腐食阻害剤            １００％
Unilubeの汎用グリース           １００％
５Ｗ３０合成油                  １００％
耐炎性油圧液                    １００％
チェーン潤滑油                  １００％
シリコーン                      １００％
【００４１】
本明細書で参照される全ての特許は、本開示の文章内に明示されているか否かにかかわらず、引用することによりその全体が本明細書の一部をなす。
【００４２】
本開示において、数量を特定しないもの（the words "a" or "an"）は、単数及び複数の双方を含むものと解釈される。反対に、複数のものに対する参照は、適切な場合、単数を含むものとする。指定されているか否か（正：or not）に関わらず全ての％は、重量パーセントである。
【００４３】
上述の記載から、本発明の新規の構想の真の趣旨及び範囲から逸脱することなく、数多くの変更及び変形を実施することができることがわかるであろう。図示の特定の実施形態に対して一切の限定が意図されず、又は暗示もされないことを理解されたい。本開示は、添付の特許請求の範囲によって、特許請求の範囲内にある全ての変更を包含するように意図される。
【国際調査報告】
2020519710.tif 000004
2020519710.tif 000005
2020519710.tif 000006
2020519710.tif 000007